(57)【要約】要約課題製造が容易で、携帯情報端末機器類のディスプレイにフィルム類を貼り付ける作業を著しく容易化するフィルム類貼り付け用補助具を提供する。解決手段携帯情報端末機器類のディスプレイにフィルム類を貼り付けるための補助具であって、その一部に凹部２１を有している機器本体２０と、上記機器本体のディスプレイ２２を覆う主要部分１６とその部分より延長した部分１７を有しているフィルム類１５とを使用し、補助具本体１０は、フィルム類を貼り付ける際の位置決めとなるように、上記凹部に嵌め込んで固定する下向き突部１１と、補助具本体にフィルム類を固定するために、上記延長部分に設けた開口部が掛け止められる上向き突部１２とを有することを特徴とする。選択図          図１
2015037054.tif 000002
【特許請求の範囲】
【請求項１】
携帯情報端末機器類のディスプレイにフィルム類を貼り付けるための補助具であって、
その一部に凹部を有している機器本体と、上記機器本体のディスプレイを覆う主要部分とその部分より延長した部分を有しているフィルム類とを使用し、
補助具本体は、フィルム類を貼り付ける際の位置決めとなるように、上記凹部に嵌め込んで固定する下向き突部と、補助具本体にフィルム類を固定するために、上記延長部分に設けた開口部が掛け止められる上向き突部とを有することを特徴とする
携帯情報端末におけるフィルム類貼り付け用補助具。
【請求項２】
機器本体の一部の凹部が受話部であり、この凹部は縦長のディスプレイに対して横方向に細長い形態の溝を形成しており、補助具本体の下向き突部はこの細長い溝に嵌め込んで固定するように横方向に細長い形態を有するとともに、上向き突部及びそれに掛け止められる開口部も横方向に細長い形態を有し、それによりフィルム類の貼り付け方向の安定を得ている請求項１記載の携帯情報端末におけるフィルム類貼り付け用補助具。
【請求項３】
上向き突部は、下部から上部に向かって先細状に形成された小片状の形態を有しており、下向き突部とフィルム類の開口部が同一の横方向に細長い形態を有している請求項１記載の携帯情報端末におけるフィルム類貼り付け用補助具。
【請求項４】
機器本体の一部に凹部を有する携帯情報端末機器類のディスプレイについて、そのディスプレイを覆う主要部分とその部分より延長した部分を有するフィルム類を貼り付けるための方法であって、
フィルム類をディスプレイに貼り付けて位置決めするために、補助具本体に設けた下向き突部を上記凹部に嵌め込んで固定する過程と、
フィルム類の延長した部分に開口部を設け、上記開口部にて補助具本体に設けた上向き突部に掛け止め、補助具本体に固定する過程を経ること特徴とする
携帯情報端末におけるフィルム類の貼り付け方法。
【発明の詳細な説明】
【技術分野】
【０００１】
本発明は、携帯情報端末機器類のディスプレイにフィルム類を貼り付けるための補助具及びフィルム類の貼り付け方法に関するものである。
【背景技術】
【０００２】
スマートフォンに代表される携帯情報端末機器の類では、ディスプレイが重要な機能を担っており、ディスプレイが汚れたり傷付いたりすると、単に見難くなるだけではなく入力操作にも支障を来たすようになる。そのため、フィルム類を貼り付けてディスプレイを覆い、保護することが行なわれている。しかし、フィルム類を貼り付ける際には細心の注意を払っても気泡の混入を避けることが困難である。微細な塵埃による気泡はあらかじめ完全に拭き取ることで避けられ、残存空気を完全に排除することもコツを掴めば可能であるが、何れの作業も容易とはいえない。【０００３】
そこで、気泡を混入させることなくフィルム類をディスプレイに貼り付ける方法が紹介され、そのための器具も市販されている。また、特許文献としても開示されており、例えば、特開２０１３−１３９５４６号は、第１フィルム部分と第２フィルム部分を備える、内側リリースフィルムと、第２フィルム部分に形成され、第１フィルム部分の第１端部から突出する引き抜き部分であって、第２フィルム部分が物品の前記表面に接触しているときに、引き抜き方向に沿って接続端部から離すように引っ張られて、第２フィルム部分を一緒に引き抜くことにより、第１フィルム部分を張り付けシートの前記内側表面から取り外し、その結果、張り付けシートの内側表面が望ましくない物質を引き寄せることなく、物品の表面に取り付けられるようにする引き抜き部分と、を備えている。【０００４】
上記発明において、引き抜き部分は、第２フィルム部分が物品の表面に接触しているときに、引き抜き方向に沿って、接続端部から離すように、第２フィルム部分を一緒に引き抜くように引っ張られ、これにより、第１フィルム部分が、張り付けシートの内側表面から取り外され、張り付けシートの内側表面が、望ましくない物質を引き寄せることなく、物品の表面に取り付けられるように構成されている。シートを貼り付ける前にあらかじめ接着性のフィルムを用いて望ましくない物質を吸着する手段を備えた発明であるが、多層フィルムの製造が難しく経費もかさむことになり、また、作業の容易さは考慮されていないため綺麗に貼れるかどうかには個人差が出易いと思われる。【０００５】
【特許文献１】特開２０１３−１３９５４６号
【発明の開示】
【発明が解決しようとする課題】
【０００６】
本発明は前記の実情に鑑みてなされたもので、その課題は、製造が容易であり、かつ、携帯情報端末機器類のディスプレイにフィルム類を貼り付ける作業を著しく容易化する携帯情報端末におけるフィルム類貼り付け用補助具を提供することである。また、本発明の他の課題は、手先の器用さに頼らず、誰が行なってもフィルム類をディスプレイの正しい位置に綺麗に貼り付けられるようにすることである。
【課題を解決するための手段】
【０００７】
前記の課題を解決するため、本発明は、携帯情報端末機器類のディスプレイにフィルム類を貼り付けるための補助具であって、その一部に凹部を有している機器本体と、上記機器本体のディスプレイを覆う部分とその部分より延長した部分を有しているフィルム類とを使用し、補助具本体は、フィルム類を貼り付ける際の位置決めとなるように、上記凹部に嵌め込んで固定する下向き突部と、補助具本体にフィルム類を固定するために、上記延長部分に設けた開口部が掛け止められる上向き突部とを有するものとするという手段を講じたものである。【０００８】
本発明は、携帯情報端末機器類のディスプレイにフィルム類を貼り付けるための補助具に関するものであり、一種のジグに属する補助具であると言える。ジグの一種であるからディスプレイの正しい位置に綺麗にフィルム類を貼り付けるために用いられ、貼り付けが終わった後では携帯情報端末機器類から取り外される。かくしてフィルム類が正しい位置に綺麗に貼られてディスプレイ表面を覆い、それを保護する。このようなフィルム類は、スクリーンプロテクタ等と称されることもある。【０００９】
本発明において、携帯情報端末機器類とは、スマートフォンに代表される多機能携帯電話機を初めとする携帯電話やその他同種の端末機器類を指す。また、本発明において、フィルム類とはフィルムとシートの両方を含む。一般にフィルムという場合、百分の一インチ以下であるとか２５０μｍ以下或いは２００μｍ以下の厚さであるなど定義が一定しないが、本発明はフィルム或いはシートと呼ばれるものの両方を含むものとする。【００１０】
本発明の対象となる携帯情報端末機器類は、機器本体が、その一部に凹部を有しているものである。従って、全く凹部を有していない機器本体は、本発明の対象とはならない。しかし、ディスプレイに近接した位置にあれば、凹部の位置を問うものではない。また、フィルム類は、上記機器本体のディスプレイを覆う部分とその部分より延長した部分を有していること、より具体的に言えば、延長した部分が上記機器本体の凹部を覆う形態を有している必要がある。【００１１】
補助具本体は、フィルム類を貼り付ける際の位置決めとなるように、上記凹部に嵌め込んで固定する下向き突部と、補助具本体にフィルム類を固定するために、上記延長部分に設けた開口部が掛け止められる上向き突部とを有する。下向き突部の機能は凹部への嵌め込みであり、上向き突部の機能はフィルム類の固定であるから、それぞれの機能を満たせば、形態や構造を規定するものではない。【００１２】
上記機器本体の一部の凹部が受話部であり、この凹部は縦長のディスプレイに対して横方向に細長い形態の溝を形成しており、補助具本体の下向き突部はこの細長い溝に嵌め込んで固定するように横方向に細長い形態を有するとともに、上向き突部及びそれに掛け止められる開口部も横方向に細長い形態を有し、それによりフィルム類の貼り付け方向の安定を得ているという構成は望ましいものである。【００１３】
また、本発明は機器本体の一部に凹部を有する携帯情報端末機器類のディスプレイについて、そのディスプレイを覆う部分とその部分より延長した部分を有するフィルム類を貼り付けるための方法を含んであり、この方法はフィルム類をディスプレイに貼り付けて位置決めするために、補助具本体に設けた下向き突部を上記凹部に嵌め込んで固定する過程と、フィルム類の延長した部分に開口部を設け、上記開口部にて補助具本体に設けた上向き突部に掛け止め、補助具本体に固定する過程を経ること特徴とする。
【発明の効果】
【００１４】
本発明は以上のように構成され、かつ、作用するものであるから製造が容易であり、携帯情報端末機器類のディスプレイにフィルム類を貼り付ける作業を著しく容易化する携帯情報端末におけるフィルム類貼り付け用補助具を提供することができる。また、本発明によれば、機器本体に固定した補助具をガイドとしてフィルム類をディスプレイに貼り付けるものであるから、手先の器用さに頼らず、誰が行なってもフィルム類をディスプレイの正しい位置に綺麗に貼り付けることができるという効果を奏する。
【発明を実施するための最良の形態】
【００１５】
＜携帯情報端末におけるフィルム類貼り付け用補助具＞
以下図示の実施形態を参照して本発明をより詳細に説明する。図１は本発明に係る携帯情報端末におけるフィルム類貼り付け用補助具の一例を示すもので、携帯情報端末には、例えば、ｉＰｈｏｎｅ（アイフォーン）、Ｘｐｅｒｉａ（エクスぺリア、いずれも商品名）等がある。補助具本体１０は、後述するフィルム類１５を貼り付ける際の位置決めとなるように、凹部２１に嵌め込んで固定する下向き突部１１と、これと一体の上向き突部１２とを有している（図２及び図３参照）。【００１６】
本発明で使用する携帯情報端末機器類は、機器本体２０の一部に凹部２１を有しているものを使用する。実施形態における凹部２１は、機器本体２０の凹部に設けられている受話部であり、この凹部は縦長のディスプレイ２２に対して横方向に細長い形態の溝を形成している。ディスプレイ２２は、縦長の形態を有する機器本体２０の広い部分を占めており、その上下に受話部２１を有する上部スペース２４と、操作部２３を有する下部スペース２５が設けられている。【００１７】
上記フィルム類１５は、上記機器本体２０のディスプレイ２２を覆う主要部分１６と、その部分より上方に延長した部分１７を有して構成されている。なお、操作部２３を有する下部スペース２５は覆っても覆わなくても良い。覆う場合には、下方にも延長した部分１７′を設け、その延長した部分１７′により操作部２３を覆ってしまわないよう、対応する位置に窓２３ａを開けることができる（図１参照）。【００１８】
本発明では、補助具本体１０にフィルム類１５を固定するために、フィルム類１５が掛け止められる開口部１８を延長部分１７に設けている。補助具本体１０の下向き突部１１は細長い溝状の凹部２１に嵌め込んで固定するように横方向に細長い形態を有しており、上向き突部１２及びそれに掛け止められる開口部１８も横方向に細長い形態を有するものとする。この形態に基づいてフィルム類１５の貼り付け方向が安定し、フィルム類１５をディスプレイ２２の正しい位置に綺麗に貼り付けることができる。【００１９】
補助具本体１０は、図２及び図３に詳細に図示されている。この実施形態の場合、上向き突部１２は、下部から上部に向かって先細状に形成された小片状の形態を有しており、その形態によってフィルム類１５の開口部１８を差し込み易くするとともに、上向き突部１２の基部１２ｂ近くまで差し込まれると開口部１８ときつく嵌まり合い、固定の度合が増すようになっている（特に、図２Ａ〜Ｅ参照）。【００２０】
また、下向き突部１１とフィルム類の開口部１８も同一の横方向に細長い形態を有していることは既に述べたが、これらは密に嵌合するように高精度に形成されている（図３、図４参照）。加えて、開口部１８の内壁面との隙間バメによるガタを最少とするために、左右の突条１３、１４が下向き突部１１の両側面に設けられている（図３、図４参照）。【００２１】
図中、１２ａは座面を示しており、上向き突部１２の下面に設けられている。実施形態では、下向き突部１１よりも上向き突部１２を大型に形成しているため段部を生じているので、これを上部スペース２４の面と接触する座面１２ａとして安定性の向上を図るものである。図示の実施形態における補助具本体１０は、中実の樹脂成形品として形成されている（図２Ｅ参照）。【００２２】
＜携帯情報端末におけるフィルム類の貼り付け方法＞
このようなフィルム類貼り付け用補助具を用いたフィルム類の貼り付け方法について、図５を参照して以下に説明する。
過程１：任意のクリーニングクロスを用いて、機器本体２０のディスプレイ２２をあらかじめ拭くことにより、埃や汚れを取り除いておく。これにより、ディスプレイ２２の表面に異物による気泡を発生させない条件が整う。
過程２：本発明に係るフィルム類貼り付け用補助具を、機器本体２０に取り付ける。すなわち、フィルム類１５をディスプレイ２２に貼り付けて位置決めするために、補助具本体１０に設けた下向き突部１１を凹部２１に嵌め込んで固定する（図５Ａ）。
過程３：フィルム類１５の接着面を覆っている剥離シート１９を剥がし（図５Ｂ）、フィルム類１５の接着面をディスプレイ２２に向けた状態にして、その開口部１８を補助具本体１０に嵌め合わせる。
過程４：フィルム類１５を上部にてディスプレイ２２の上部スペース２４に貼り付け、固定するとともに、剥離シート１９を剥がしながら、フィルム類１５を下方へ向けて貼り付ける（図Ｃ参照）。
過程５：フィルム類１５をディスプレイ２２の全面に貼り終わった後、補助具本体１０を取り外す。微細な気泡が残ったなら、柔軟なカード状部材を用いて気泡をフィルム類１５の外へ押し出す。【００２３】
本発明の貼り付け方法では、上記のようにフィルム類１５をその開口部１８にて補助具本体１０に嵌め合わせることでフィルム類１５の貼り付け方向が決定する。そしてこの方向が維持されて、フィルム類１５は上部にてディスプレイ２２の上部スペース２４の正しい位置に綺麗に貼り付けられる。従って、後は規定された方向へフィルム類１５を貼り付ける作業に注意を傾けることができ、かつまた、フィルム類１５はディスプレイ２２に対してずれたり傾いたりすることなく貼り付けられ、ディスプレイ２２の万全の保護が達成される。本発明はこのように構成され、フィルム類１５をディスプレイ２２の正しい位置に綺麗に貼り付けられるので、フィルム類の貼り付け方法を、より少ない注意力で、より完全に実行することができる。
【図面の簡単な説明】
【００２４】
【図１】本発明に係る携帯情報端末におけるフィルム類貼り付け用補助具の一例を示す斜視説明図である。
【図２】同上の補助具本体を示すもので、Ａは斜視図、Ｂは正面図、Ｃは下面図、Ｄは側面図、Ｅは縦断面図である。
【図３】同じく補助具本体の細部を拡大して示す部分側面図である。
【図４】同じく補助具本体の細部を拡大して示す部分下面図である。
【図５】本発明に係る携帯情報端末におけるフィルム類の貼り付け方法において、主要な過程Ａ、Ｂ、Ｃを示す説明図である。
【符号の説明】
【００２５】
１０  補助具本体
１１  下向き突部
１２  上向き突部
１３、１４  突条
１５  フィルム類
１６  主要部分
１７  延長部分
１８  開口部
１９  剥離シート
２０  機器本体
２１  凹部
２２  ディスプレイ
２３  操作部
２４  上部スペース
２５  下部スペース  
【図１】
2015037054.tif 000003
【図２】
2015037054.tif 000004
【図３】
2015037054.tif 000005
【図４】
2015037054.tif 000006
【図５】
2015037054.tif 000007
【国際調査報告】
2015037054.tif 000008
2015037054.tif 000009